【手続補正書】
【提出日】平成24年10月18日(2012.10.18)
【手続補正１】
【補正対象書類名】特許請求の範囲
【補正対象項目名】全文
【補正方法】変更
【補正の内容】
【特許請求の範囲】
【請求項１】
反応室部と、
上記反応室部内の燃料混合物であって、触媒の存在の下で反応してガスを発生する、上記燃料混合物と、
触媒シール部材であって、実質的に非平坦な圧力感知部材を有し、少なくとも部分的に上記反応室部内に配置される、上記触媒シール部材とを有し、
上記触媒シール部材は少なくとも第１の形態および第２の形態を伴い、上記触媒は、上記触媒シール部材が上記第１の形態のときに上記燃料混合物により接触可能であり、上記触媒は、上記触媒シール部材が上記第２の形態のときに上記燃料混合物により接触不可能であり、上記反応室部の圧力が上記非平坦な圧力感知部材を起動して上記第１の形態および上記第２の形態の間を移動させることを特徴とするガス発生装置。
【請求項２】
上記非平坦圧力感知部材は実質的に円筒形状である請求項１記載のガス発生装置。
【請求項３】
上記触媒シール部材は、柔軟性のある室部を有し、上記触媒は上記触媒シール部材の内部に配置され、上記第１の形態で、上記触媒シール部材は開になり、上記第２の形態で、上記触媒シール部材が閉になり、上記柔軟性のある室部の圧力が、上記反応室部の圧力より大きいときに、上記触媒シール部材が開になり、上記柔軟性のある室部の圧力が、上記反応室部の圧力より低いときに、上記触媒シール部材が閉になる請求項１記載のガス発生装置。
【請求項４】
上記柔軟性のある室部は弾性体である請求項３記載のガス発生装置。
【請求項５】
上記弾性体の室部はハウジングの外部と流体的に接続され、上記弾性体の室部の圧力が雰囲気圧力である請求項４記載のガス発生装置。
【請求項６】
上記反応室部中に複数の触媒シール部材があり、上記触媒シール部材中の弾性室部の圧力が相互に異なり、上記触媒シール部材が上記反応室部内部の異なる圧力で開および閉動作する請求項４記載のガス発生装置。
【請求項７】
第１のバネが、上記反応室部内の圧力により与えられる反応室部力をバランスするためのバネバイアス力を供給し、上記バネバイアス力が上記反応室部力より大きいときに、上記触媒シール部材が上記第１の形態であり、上記バネバイアス力が上記反応室部力より小さいときに、上記触媒シール部材が上記第２の形態である請求項１記載のガス発生装置。
【請求項８】
上記触媒シール部材はシール部材と対抗して配置可能なカップを有し、上記カップは上記第１の形態のときに上記シール部材と対抗して配置されず、上記カップは上記第２の形態のときに上記シール部材と対抗して配置される請求項７記載のガス発生装置。
【請求項９】
上記第１のバネは上記カップを上記カップに連結されたシャフトを通じてバイアスし、上記シャフトとピストンが連結され、上記第１のバネは上記ピストンに作用する請求項８記載のガス発生装置。
【請求項１０】
上記触媒は上記シャフトの表面または上記カップの内部にある請求項９記載のガス発生装置。
【請求項１１】
上記触媒シール部材は、シャフトケースと、上記シャフトケースに対して相対的に移動可能な球とを有し、上記第１の形態では上記球は上記シャフトケースから離間させられ、上記第２の形態では上記球は上記シャフトケースに対抗して押される請求項７記載のガス発生装置。
【請求項１２】
上記触媒は上記球に取り付けられ、または上記球に連結されたシャフトに取り付けられ、請求項１１記載のガス発生装置。
【請求項１３】
第２のバネが設けられ、上記触媒シール部材を上記第１の形態および上記第２の形態の間で移動させる請求項７記載のガス発生装置。
【請求項１４】
上記燃料混合物は少なくとも２つの化学水素化物と水とを有する請求項１記載のガス発生装置。
【請求項１５】
上記ガスは水素または酸を有する請求項１記載のガス発生装置。
【請求項１６】
上記反応室部は気体透過性・液体非透過性複合材を有し、格子状構造が２つの気体透過性膜の間に配置され、生成されたガスが上記膜の一方または双方を通じて上記格子状構造に流入する請求項１記載のガス発生装置。
【請求項１７】
上記反応室部は気体透過性・液体非透過性複合材を有し、上記複合材は上記反応室部内で圧縮圧力にさらされる請求項１記載のガス発生装置。
【請求項１８】
上記触媒シール部材は、上記第２の形態で、上記触媒を実質的に隔離する触媒隔離室を有する請求項１記載のガス発生装置。
【請求項１９】
上記触媒シール部材は、上記燃料混合物を上記触媒に接触させることができる少なくとも１つの燃料チャネルを有する請求項１記載のガス発生装置。
【請求項２０】
上記少なくとも１つの燃料チャネルは、上記触媒シール部材と通じて形成される請求項１９記載のガス発生装置。
【請求項２１】
上記触媒シール部材は波形のベローズおよび一対のカップを有し、上記触媒シール部材が上記第１の形態のときに、上記ブラダーが伸張して上記カップが開になり、上記触媒シール部材が第２の形態のときに、上記ブラダーが縮んで、上記カップが閉じる請求項１記載のガス発生装置。
【請求項２２】
上記触媒はコバルト、ホウ素、および酸素を有する請求項１記載のガス発生装置。
【請求項２３】
上記食害はＣｏ（ＢＯ２）ＯＨである請求項２２記載のガス発生装置。
【請求項２４】
反応室部と、
上記反応室部内の燃料混合物であって、触媒の存在の下で反応してガスを発生する、上記燃料混合物と、
触媒シール部材であって、少なくとも１つの燃料チャネルを有し、少なくとも部分的に上記反応室部内に配置される、上記触媒シール部材とを有し、
上記触媒シール部材は少なくとも第１の形態および第２の形態を伴い、上記触媒は、上記触媒シール部材が上記第１の形態のときに上記燃料混合物により接触可能であり、上記触媒は、上記触媒シール部材が上記第２の形態のときに上記燃料混合物により接触不可能であり、上記反応室部の圧力が上記触媒シール部材を起動して上記第１の形態および上記第２の形態の間を移動させ、上記第２の形態において、上記少なくとも１つの燃料チャネルが上記燃料混合物を上記触媒と接触可能にすることを特徴とするガス発生装置。
【請求項２５】
上記少なくとも１つの燃料チャネルは上記触媒シール部材を通じて形成される請求項２４記載のガス発生装置。
【請求項２６】
燃料混合物を内包する反応室部であって、上記燃料混合物は触媒の存在の下でガスを発生する上記反応室部を有し、
上記反応室部は気体透過性・液体非透過性複合材を有し、格子状構造が２つの気体透過性膜の間に配置され、生成されたガスが上記膜の一方または双方を通じて上記格子状構造に流入することを特徴とするガス発生装置。
【請求項２７】
上記複合材は上記反応室部内で圧縮圧力にさらされる請求項２６記載のガス発生装置。
【請求項２８】
反応室部と、
上記反応室部内の燃料混合物であって、触媒の存在の下で反応してガスを発生する、上記燃料混合物と、
燃料ゲージであって、上記燃料混合物の電気抵抗または密度を測定して残留する未反応の燃料を決定する上記燃料ゲージとを有することを特徴とするガス発生装置。
【手続補正２】
【補正対象書類名】明細書
【補正対象項目名】００２８
【補正方法】変更
【補正の内容】
【００２８】
燃料サプライは、燃料電池がもう水素を必要としなくなったときに触媒を燃料混合物からシールして水素発生反応を中止する装置を含む。この装置は燃料サプライの内部の状態に制御され、好ましくは反応室部の圧力により制御される。この装置は生成を調整し燃料電池の可変水素需要を満たす。